(57)【要約】【課題】構造が簡単であり、コストが低く、組立と操作が簡単であるひもの締緩装置を提供する。【解決手段】ベース２００と、リリースユニットと、ノブ３００とを備える。リリースユニットは、ベース２００とノブ３００内に取り付けられており、ノブ３００によってひもを巻き取り、ノブ３００内のリングギア３２０と対応かつ噛み合う少なくとも１つの弾性アーム４３１を有し、操作に従ってベース２００において昇降することができる。上昇する場合、ノブ３００を自由に回転させ、下降する場合、リリース方向にノブ３００の回転を限制する。また、ノブ３００は、リリースユニットと収容空間２１０に枢設されるように構成される。【選択図】図２
2015150426.tif 000002
【特許請求の範囲】
【請求項１】
２つのひも穴を介して外と連通している収容空間、及び少なくとも１つの係止部材を有するベースと、
回転操作を行うことができるように前記収容空間に枢設されており、２つの前記ひも穴に対応する環状レールが設けられており、内側に向いて複数のリングギアが設けられているノブと、
昇降操作を行うことが可能に前記収容空間及び前記ノブ内に取り付けられており、少なくとも１つの弾性アーム、第１の位置制限部及び第２の位置制限部が設けられており、前記第１の位置制限部と前記第２の位置制限部との間に滑り中断部が設けられているリリースユニットと、を備え、
前記滑り中断部は前記係止部材が予力を加えた後で通過することを許可し、
前記係止部材が前記第１の位置制限部で位置決められた場合、前記リリースユニットが第１の位置に位置し、前記弾性アームが前記リングギアと噛み合い、
前記係止部材が前記第２の位置制限部で位置決められた場合、前記リリースユニットが第２の位置に位置し、前記弾性アームが前記リングギアから脱離することを特徴とするひもの締緩装置。
【請求項２】
前記リリースユニットは複数の前記弾性アームを有し、
前記弾性アームは、一端が互いに等距離となるよう連結されており中空環状部材を形成し、他端が内側から外側へ突出することを特徴とする請求項１に記載のひもの締緩装置。
【請求項３】
前記収容空間は、略円形となる凸壁により形成されており、
前記環状レールは前記凸壁内に位置し、
複数の前記リングギアは、前記凸壁の上方に位置し、間に噛み合い空間が形成されており、
前記弾性アームは、互いに対応して前記噛み合い空間に出入りすることを特徴とする請求項１に記載のひもの締緩装置。
【請求項４】
前記リリースユニットは、順次に、前記第１の位置制限部、前記第２の位置制限部及び前記滑り中断部が設けられた軸部材と、複数の前記弾性アームが環状配列して設けられた中空環状部材と、前記噛み合い空間の上方に覆設された昇降部材と、を組み合わせて形成されておりことを特徴とする請求項３に記載のひもの締緩装置。
【請求項５】
前記昇降部材と前記ノブとの形状は、互いに対応しており、
前記ノブは、指を入れて前記昇降部材を動かすことができるように、少なくとも１つの凹陥状操作溝が外側に開設されていることを特徴とする請求項４に記載のひもの締緩装置。
【請求項６】
前記リングギアは、上方に、前記弾性アームが前記噛み合い空間に進入するようにガイドする傾斜辺が設けられていることを特徴とする請求項３に記載のひもの締緩装置。
【請求項７】
２つのひも穴を介して外と連通している収容空間、及び少なくとも１つの係止部材を有するベースと、
回転操作を行うことができるように前記収容空間に枢設されており、前記２つのひも穴に対応する環状レールが設けられており、内側に向いて複数のリングギアが設けられているノブと、
前記ノブの上方に位置するように前記収容空間内に取り付けられており、前記ノブに対応する昇降変位の操作に用いられ、第２の結合部、第１の位置制限部、及び、第２の位置制限部が設けられており、前記第１の位置制限部と前記第２の位置制限部との間に滑り中断部が設けられているリリースユニットと、を備え、
前記滑り中断部は前記係止部材が予力を加えた後で通過することを許可し、
前記係止部材が前記第１の位置制限部で位置決められた場合、前記リリースユニットが第１の位置に位置し、前記第１の結合部が前記第２の結合部と連動し、
前記係止部材が前記第２の位置制限部で位置決められた場合、前記リリースユニットが第２の位置に位置し、前記第１の結合部が前記第２の結合部と連動しないことを特徴とするひもの締緩装置。
【請求項８】
前記リリースユニットは複数の弾性アームを有し、
前記弾性アームは、一端が互いに等距離となるよう連結されており中空環状部材を形成し、他端が内側から外側へ突出することを特徴とする請求項７に記載のひもの締緩装置。
【請求項９】
前記収容空間は、略円形となる凸壁により形成されており、
前記環状レールは前記凸壁内に位置し、
前記第１の結合部は、前記凸壁の上方に位置し、間に噛み合い空間が形成されており、
前記第２の結合部は、互いに対応して前記噛み合い空間に出入りすることを特徴とする請求項７に記載のひもの締緩装置。
【請求項１０】
前記リリースユニットは、順次に、前記第１の位置制限部、前記第２の位置制限部及び前記滑り中断部が設けられた軸部材と、前記第２の結合部が環状配列して設けられた中空環状部材と、前記噛み合い空間の上方に覆設されるとともに前記ノブの形状と互いに対応する昇降部材と、を組み合わせて形成されており、
１本の指を入れて前記昇降部材を動かすことができるように、前記ノブの外側に少なくとも１つの凹陥状操作溝が開設されていることを特徴とする請求項７に記載のひもの締緩装置。
【請求項１１】
２つのひも穴を介して外と連通している収容空間を有するベースと、
回転操作を行うことができるように前記収容空間に枢設されており、２つの前記ひも穴に対応し、かつひもを巻き付けるのに用いられる環状レールが設けられており、内側に向いて複数のリングギアが設けられているノブと、
前記収容空間及び前記ノブ内に取り付けられており、少なくとも１つの係止部材を有する係止ベース、昇降部材、および、フリップアームを有するリリースユニットと、を備え、
前記昇降部材は、前記係止ベースに取り付けられており、少なくとも１つの弾性アーム、第１の位置制限部、第２の位置制限部、及び、少なくとも１つのピボット部を有し、前記第１の位置制限部と前記第２の位置制限部との間に滑り中断部が設けられており、
前記滑り中断部は前記係止部材が予力を加えた後で通過することを許可し、
前記係止部材が前記第１の位置制限部で位置決められた場合、前記リリースユニットが第１の位置に位置し、前記弾性アームが前記リングギアと噛み合い、
前記係止部材が前記第２の位置制限部で位置決められた場合、前記リリースユニットが第２の位置に位置し、前記弾性アームが前記リングギアから脱離し、
前記フリップアームは、前記係止ベースにフリップできるように位置制限されており、前記ピボット部に枢設されていることを特徴とするひもの締緩装置。
【請求項１２】
前記昇降部材の前記ピボット部は、前記係止ベースを貫通した後、更に前記フリップアームの一端に枢設することを特徴とする請求項１１に記載のひもの締緩装置。
【請求項１３】
前記フリップアームに当接円弧又は当接突起が設けられており、
前記当接円弧又は前記当接突起は、前記係止ベースの支持面を当接し、前記昇降部材を上方向に上昇させることを特徴とする請求項１２に記載のひもの締緩装置。
【請求項１４】
前記係止ベースに突起が取り付けられており、
前記突起は、前記フリップアームの当接面に当接し、前記昇降部材を上方向に上昇させることを特徴とする請求項１２に記載のひもの締緩装置。
【発明の詳細な説明】
【技術分野】
【０００１】
本発明は、締緩装置に関し、特に、操作および構造が簡単であるひもの締緩装置に関する。
【背景技術】
【０００２】
近年、歩行や運動する場合に足が靴内で滑って負傷することを防止するために、運動靴では、靴本体と足との間の密着性の調整を特に重視され、例えば、靴紐、ゴムひも、ファスナ又は面ファスナによって、この目的を達成させる方法がよく取られる。しかし、面ファスナのフック側は塵埃などが付着しやすいとともに、たびたび使うと粘着性が弱くなるので実用性が悪く、ファスナは調整幅が狭くて固定性が悪く、ゴムひもは、耐候性が悪いので、時間が経つと徐々に硬化して機能を失ってしまう。このため、市販の運動靴の大半は、靴紐型が中心である。
【０００３】
ただ、靴紐を結べない子供にとって、靴紐がよく結ばれないので緩めてしまうことがよくある問題であり、体力が衰えた老人にとって、しゃがんで靴紐を結ぶのも大変なことである。最も重要なことは、一部の激しい又は特殊な運動、例えば、バスケットボール、テニス、岩登り、スケートボード等の場合において、靴紐が緩めてしまう又は靴紐が結ばれた後の残りが長すぎると、よく足を動かす時に転倒してしまう。又はひもが物に引かれてしまい、危険が発生することがある。運動を職業とする選手たちにとって、大きな脅威となっている。
【先行技術文献】
【特許文献】
【０００４】
【特許文献１】台湾特許第Ｉ３７４０１６号明細書
【特許文献２】特開平７-２０８号公報
【発明の概要】
【発明が解決しようとする課題】
【０００５】
現在、特許文献１に記載の靴紐のようなひもの締付け機能および緩め機能を有する留め具が既に市販になっている。このような留め具構造は、締めひもを締め付ける必要とする各種の体に着用する製品に応用されることができるので、市場では好評となった。従来の留め具構造は、ラッチング部材の環状シートと弾性シートの設計により、上下垂直のような均一な係止力を形成する。従来の設計により、回転蓋の回転と垂直の動作によって、線材コイルを連動して靴紐を締め付け又はリリースさせる効果を達成する。このような従来の設計では、その設計目的を達成することができるが、この従来の技術の応用する部材が複雑で数量が多い。より大きな問題は、その弾性部材のコストが高いだけでなく、弾性部材が繰り返して靴紐を締め付け又はリリースした後、弾性疲労を引き起こし易く、弾性部材と当接された部材との間にも大量の磨耗が発生し、部材の故障頻度と誤操作率を更に増えてしまう。
【０００６】
特許文献２に記載の靴締め付け具では、そのノブの中央で、上下に動かすフリップ具を利用して、バネと合わせて、同様に上下垂直のような均一な係止力を形成し、且つフリップ具で係止や脱離を制御する。この従来の設計により、フリップ具は、垂直に動作して、線材コイルが靴紐を締め付け又はリリースするように制御する効果を達成する。このような従来の設計は、応用する部材がまだ複雑で数量が多い。それに使用されるバネと部材のコストが高く、且つバネが繰り返して靴紐を締め付け又はリリースした後は、同様に弾性疲労と大量の磨耗が発生し、更に部材の故障頻度と誤操作率が増える。
【０００７】
本発明の目的は、構造が簡単であり、コストが低く、組立と操作が簡単であり、従来の独立な弾性ユニットの構成を除去し、繰り返して操作することによる部材の磨耗及び故障を避けることが可能なひもの締緩装置を提供する。
【課題を解決するための手段】
【０００８】
本発明の一態様によるひもの締緩装置は、ベース、ノブ、およびリリースユニットを備える。ベースは、２つのひも穴を介して外と連通される収容空間、及び少なくとも１つの係止部材を有する。ノブは、使用者が回転操作を行うことができるように収容空間に枢設されており、２つのひも穴に対応し、かつひもを巻き付けるのに用いられる環状レールが設けられており、内側に向いて複数のリングギアが設けられている。リリースユニットは、使用者が昇降操作を行うことができるように収容空間及びノブ内に取り付けられており、少なくとも１つの弾性アーム、第１の位置制限部及び第２の位置制限部が設けられており、第１の位置制限部と第２の位置制限部との間に滑り中断部が設けられている。滑り中断部は係止部材が予力を加えた後で通過することを許可する。係止部材が第１の位置制限部で位置決められた場合、リリースユニットが第１の位置に位置し、弾性アームがリングギアと噛み合う。係止部材が第２の位置制限部で位置決められた場合、リリースユニットが第２の位置に位置し、弾性アームがリングギアから脱離する。
【０００９】
本発明の一態様によるひもの締緩装置は、より簡単な部材構成で、ひもの締め付け及びリリースを安定的に行う機能を達成して、全体のコストを効果的に低下させることができる。また、従来の独立な弾性ユニットの構成を除去し、繰り返して操作することによる部材の磨耗と故障を避けることができる。
【００１０】
また、本発明の一態様によるひもの締緩装置では、リリースユニットは、複数の弾性アームを有する。複数の弾性アームは、一端が互いに等距離となるよう連結されており中空環状部材を形成し、他端が内側から外側へ突出する。収容空間は、略円形となる凸壁により形成されている。環状レールは凸壁内に位置する。複数のリングギアは、凸壁の上方に位置し、間に噛み合い空間が形成されている。また、弾性アームは、互いに対応して噛み合い空間に出入りする。なお、リリースユニットは、順次に、第１の位置制限部、第２の位置制限部及び滑り中断部が設けられた軸部材と、複数の弾性アームが環状配列して設けられた中空環状部材と、噛み合い空間の上方に覆設された昇降部材と、を組み合わせて形成されている。また、昇降部材とノブの形状と大きさは、互いに対応かつ重ねているように設ける。ノブは、使用者の１本の指を入れて昇降部材を動かすことができるように少なくとも１つの凹陥状操作溝が外側に開設されている。各リングギアは、上方に、弾性アームの一端が噛み合い空間に出入りするように円滑にガイドする傾斜辺が設けられている。
【００１１】
また、本発明の別の態様によるひもの締緩装置は、ベース、ノブ、および、リリースユニットを備える。ベースは、２つのひも穴を介して外と連通する収容空間、及び少なくとも１つの係止部材を有する。ノブは、回転操作を行うことができるように収容空間に枢設されており、２つのひも穴に対応する環状レールが設けられており、また内側に向いて第１の結合部が設けられている。リリースユニットは、ノブの上方に位置するように収容空間の内に取り付けられており、ノブに対応する昇降変位の操作に用いられ、第２の結合部、第１の位置制限部及び第２の位置制限部が設けられており、第１の位置制限部と第２の位置制限部との間に滑り中断部が設けられている。滑り中断部は係止部材が予力を加えた後で通過することを許可する。係止部材が第１の位置制限部で位置決められる場合、リリースユニットが第１の位置に位置し、第１の結合部が第２の結合部と連動する。係止部材が第２の位置制限部で位置決められる場合、リリースユニットが第２の位置に位置し、第１の結合部が第２の結合部と連動しない。
【００１２】
本発明の別の態様によるひもの締緩装置は、組立および操作が簡単であり、弾性ユニットを除去することができる。第１の結合部および第２の結合部の上位概念は各種の脱離可能、結合可能、および連動可能な機構を含み、前述の態様での弾性アーム、リングギアの径方向結合の技術に限定されたものではない。例えば、弾性アーム、リングギアを用いた軸方向結合技術、リングギアとリングギアを用いた軸方向結合技術、リングギアとリングギアを用いた径方向組合せ技術、磁気部材の磁気部材に対する磁気吸引技術、又は、対応する嵌め合いにより緊密に結合する技術を使用してもよい。前記各種の機構は、何れも別の態様における第１の結合部と第２の結合部の機能を達成することができる。
【００１３】
本発明のさらなる別の態様によるひもの締緩装置は、ベース、ノブ、および、リリースユニットを備える。ベースは、２つのひも穴を介して外と連通する収容空間を有する。ノブは、使用者が回転操作を行うことができるように収容空間に枢設されており、２つのひも穴に対応し、かつひもを巻き付けるのに用いられる環状レールが設けられており、内側に向いて複数のリングギアが設けられている。リリースユニットは、使用者が昇降操作を行うことができるように収容空間及びノブ内に取り付けられている。リリースユニットは、少なくとも１つの係止部材が設けられた係止ベース、昇降部材、および、フリップアームを有する。昇降部材は、少なくとも１つの弾性アーム、第１の位置制限部、第２の位置制限部、及び、少なくとも１つのピボット部が設けられている。第１の位置制限部と第２の位置制限部との間に滑り中断部が設けられている。滑り中断部は係止部材が予力を加えた後で通過することを許可する。係止部材が第１の位置制限部で位置決められた場合、リリースユニットが第１の位置に位置し、弾性アームがリングギアと噛み合う。係止部材が第２の位置制限部で位置決められた場合、リリースユニットが第２の位置に位置し、弾性アームがリングギアから脱離する。フリップアームは、フリップできるように係止ベースに位置制限されており、ピボット部に枢設されている。
【００１４】
本発明のさらなる別の態様によるひもの締緩装置では、フリップアーム及び昇降部材のフリップで確実な昇降変位を発生させることができる。また、より簡単な部材構成でひもを安定的に締め付ける及びリリースさせる機能を達成し、全体のコストを効果的に低下させることができる。更に従来の独立な弾性ユニットの構成を除去し、繰り返して操作することによる部材の磨耗及び故障を避けることができる。
【００１５】
本発明のさらなる別の態様によるひもの締緩装置は、昇降部材のピボット部が係止ベースを貫通してから、更にフリップアームの一端に枢設する。フリップアームに当接円弧又は当接突起が設けられている。当接円弧又は当接突起は、係止ベースにおける支持面を当接し、昇降部材を上方向に上昇させる。また、係止ベースに突起が取付られている。突起は、フリップアームにおける当接面に当接し、昇降部材を上方向に上昇させる突き上げ力を発生する。
【図面の簡単な説明】
【００１６】
【図１】本発明の第一実施形態によるひもの締緩装置を示す斜視図である。
【図２】本発明の第一実施形態によるひもの締緩装置を示す分解斜視図である。
【図３】本発明の第一実施形態によるひもの締緩装置を示す分解斜視図である。
【図４】本発明の第一実施形態によるひもの締緩装置のリリースユニットが第１の位置に位置する様子を示す断面図である。
【図５】本発明の第一実施形態によるひもの締緩装置のリリースユニットが第２の位置に位置する様子を示す断面図である。
【図６】本発明の第一実施形態によるひもの締緩装置の弾性アームの噛み合い状態を示す模式図である。
【図７】本発明の第二実施形態によるひもの締緩装置を示す分解斜視図である。
【図８】本発明の第二実施形態によるひもの締緩装置を示す分解斜視図である。
【図９】本発明の第二実施形態によるひもの締緩装置のリリースユニットが第１の位置に位置する様子を示す断面図である。
【図１０】本発明の第二実施形態によるひもの締緩装置のリリースユニットが第２の位置に位置する様子を示す断面図である。
【図１１】本発明の第二実施形態によるひもの締緩装置を示す斜視図である。
【図１２】本発明の第三実施形態によるひもの締緩装置を示す分解斜視図である。
【発明を実施するための形態】
【００１７】
（第一実施形態）
本発明の第一実施形態によるひもの締緩装置を図１〜図５に示す。図１は、本実施形態のひもの締緩装置の外観を示す斜視図である。図２及び図３は、本実施形態のひもの締緩装置を２つの方向から示す分解斜視図である。図４は、本実施形態のひもの締緩装置のリリースユニット４００が第１の位置に位置する様子を示す断面図である。図５は、本実施形態のひもの締緩装置のリリースユニット４００が第２の位置に位置する様子を示す断面図である。前記各図面に基づいて、本発明の第一実施形態の構造を説明する。本実施形態によるひもの締緩装置１００は、ベース２００、ノブ３００及びリリースユニット４００を備える。
【００１８】
ベース２００は、収容空間２１０及び少なくとも１つの係止部材２２０を有し、収容空間２１０は２つのひも穴２３０で外と連通する。ベース２００に収容空間２１０を囲んで略円形となる凸壁２４０が設けられる。前記係止部材２２０はベース２００の中心軸線に互いに対応する複数の爪部からなり、且つ係止部材２２０の中央に貫通穴２５０が開設される。
【００１９】
ノブ３００は収容空間２１０に枢設されている。ノブ３００の中央に回転穴３３０が開設されている。使用者が回転操作できるようにノブ３００の外側にラインが製作されている。ノブ３００は２つのひも穴２３０に対応してひも（未図示）を巻き付けるための環状レール３１０が設けられている。環状レール３１０は凸壁２４０内に位置する。且つノブ３００に内側へ複数のリングギア３２０が囲んで設置され、複数のリングギア３２０は凸壁２４０の上方に位置し、且つ複数のリングギア３２０の間に噛み合い空間３２１を形成する。なお、ノブ３００の外側に４つの凹陥状操作溝３０１が開設され、この凹陥状操作溝３０１を利用して使用者は１本の指を入れることができる。
【００２０】
リリースユニット４００は収容空間２１０及びノブ３００の噛み合い空間３２１内に取り付けられている。リリースユニット４００は、順次に、軸部材４１０、中空環状部材４２０及び昇降部材４３０をネジ部材４１１により組み合わせて構成されている。中空環状部材４２０に複数の弾性アーム４３１が環状配列して設けられる。軸部材４１０が貫通穴２５０、回転穴３３０、中空環状部材４２０及び昇降部材４３０を穿設した後ネジ部材４１１をねじロックし、軸部材４１０に第１の位置制限部４１２、第２の位置制限部４１３及び滑り中断部４１４が設けられる。昇降部材４３０は完全に噛み合い空間３２１の上方に覆設される。且つ、昇降部材４３０は、ノブ３００に重ねられるとともに形状と大きさが互いに対応するように設計される。
【００２１】
滑り中断部４１４は係止部材２２０の爪部が予力を加えた後で通過することを許可する。係止部材２２０が第１の位置制限部４１２で位置決められる場合、リリースユニット４００が第１の位置に位置し、弾性アーム４３１がその中の１つのリングギア３２０と噛み合い、実質にノブ３００がリリース方向への回転を制限する機能を達成する。係止部材２２０が第２の位置制限部４１３で位置決められる場合、リリースユニット４００が第２の位置に位置し、弾性アーム４３１がすべてのリングギア３２０から脱離し、ノブ３００が完全に締めひもをリリースする機能を達成する。
【００２２】
この弾性アーム４３１が軸方向に互いに対応して噛み合い空間３２１に出入りして、リングギア３２０と噛み合い又は脱離する技術により、使用者は凹陥状操作溝３０１を用いて昇降部材４３０をトグルして上昇又は下降させることができる。更にリリースユニット４００が第１の位置又は第２の位置に位置するように制御する。このため、本発明がより簡単な部材設計で元の締め付け及びリリース機能を保持する状態で、組み立てやすく、操作しやすく及び弾性ユニットを除去した状態で機能を発揮することができる。
【００２３】
（第二実施形態）
本発明の第二実施形態によるひもの締緩装置を図７〜図１１に示す。図７及び図８は本発明の第二実施形態によるひもの締緩装置を示す分解斜視図である。図９は第二実施形態によるひもの締緩装置のリリースユニットが第１の位置に位置する様子を示す断面図である。また、図１０は第二実施形態によるひもの締緩装置のリリースユニットが第２の位置に位置する様子を示す断面図である。図１１は第二実施形態によるひもの締緩装置を示す斜視図である。本実施形態のひもの締緩装置は、ベース５００、ノブ６００及びリリースユニット７００を備える。本実施形態において前の実施形態と一致するので、ここでは説明を省略する。
【００２４】
ベース５００は同様に収容空間５１０を有し、収容空間５１０の中央に軸部材５２０が設けられ、且つ収容空間５１０は２つのひも穴を介して５３０外と連通する。
【００２５】
ノブ６００は、使用者の指が回転操作できるように収容空間５１０内に枢設され、２つのひも穴５３０に対応してひも（未図示）を巻き付けるための環状レール６１０が設けられ、また内側へ複数のリングギア６２０が設置される。
【００２６】
リリースユニット７００は、収容空間５１０及びノブ６００内に取り付けられ、且つ複数の係止部材７１１が囲んで設けられた係止ベース７１０、昇降部材７２０、フリップアーム７３０及び突出蓋７４０を含む。昇降部材７２０は、２つの突出ピボット部７２１が係止ベース７１０を貫通してから、回転軸７２１１によってフリップアーム７３０の一端（他端は使用者が操作するためのものである）に枢設する。これにより、フリップアーム７３０が係止ベース７１０に取り付けられて位置制限される。フリップアーム７３０に係止ベース７１０における支持面７１２を当接するための当接突起７３１が設けられている。フリップアーム７３０の当接突起７３１は支持面７１２を当接して昇降部材７２０を上へ上昇させる。
【００２７】
昇降部材７２０は、更に囲んで構成された４つの弾性アーム７２２、４つの第１の位置制限部７２３及び４つの第２の位置制限部７２４を有する。各第１の位置制限部７２３と各第２の位置制限部７２４の間に滑り中断部７２５が設けられている。滑り中断部７２５は係止部材７１１が予力を加えた後で通過することを許可する。係止部材７１１が第１の位置制限部７２３で位置決められた場合、リリースユニット７００が第１の位置に位置し、各弾性アーム７２２がリングギア６２０と噛み合う。係止部材７１１が第２の位置制限部７２４で位置決められる場合（フリップアーム７３０の当接突起７３１は支持面７１２を当接して昇降部材７２０を上へ上昇させる）、リリースユニット７００が第２の位置に位置し、各弾性アーム７２２が何れもリングギア６２０から脱離する。突出蓋７４０が係止ベース７１０に固定されるとともに、突出蓋７４０に突起７４１が取り付けられることにより、フリップアーム７３０における当接面７３２が互いに対応して突起７４１を当接して、更に昇降部材７２０を上へ上昇させることを補助する。
【００２８】
また、ネジ部材８００は、係止ベース７１０、昇降部材７２０、及び突出蓋７４０を貫通した後軸部材５２０にネジロックされる。
【００２９】
（第三実施形態）
図１２は本発明の第三実施形態によるひもの締緩装置を示す分解斜視図である。この図面は、本発明のフリップアーム７３０に係止ベース７１０における支持面７１２を当接するための当接円弧７３３（当接突起を除去する）が設けられ、フリップアーム７３０の当接円弧７３３は支持面７１２を当接して昇降部材７２０を上へ上昇させることを示す。
【００３０】
なお、前記弾性アーム４３１は、互いに対応して噛み合い空間３２１に出入りして、リングギア３２０に噛み合い又は脱離することができるが、本発明はこの技術を使用することに限定されたものではない。更に第１の結合部と第２の結合部の上位概念は各種の脱離及び結合連動の機構を含んで、前の実施形態に使用された弾性アーム、リングギアの径方向組合せ技術に限定されたものではない。例えば、弾性アーム、リングギアの軸方向組合せ技術、リングギアとリングギアの軸方向組合せ技術、リングギアとリングギアの径方向組合せ技術、磁気部材の磁気部材の磁気吸引技術又は対応の嵌め合いで緊密に組み合わせる技術等を使用してもよい。この実施形態の第１の結合部と第２の結合部の応用細部は前記実施形態と類似しているので、ここで説明を省略する。
【００３１】
本発明の実施形態は前述の通り開示したが、これは本発明を限定するためのものではなく、当業者であれば、本発明の精神と範囲から逸脱しない限り、各種の変更や修正を加えることができる。従って、本発明の保護範囲は、特許請求の範囲で指定した内容を基準とするものである。
【符号の説明】
【００３２】
１００  ひもの締緩装置
２００  ベース
２１０  収容空間
２２０  係止部材
２３０  ひも穴
２４０  凸壁
２５０  貫通穴
３００  ノブ  
３０１  凹陥状操作溝
３１０  環状レール
３２０  リングギア
３２１  噛み合い空間
３３０  回転穴
４００  リリースユニット
４１０  軸部材
４１１  ネジ部材
４１２  第１の位置制限部
４１３  第２の位置制限部
４１４  滑り中断部
４２０  中空環状部材
４３０  昇降部材
４３１  弾性アーム
５００  ベース
５１０  収容空間
５２０  軸部材
５３０  ひも穴
６００  ノブ
６１０  環状レール
６２０  リングギア
７００  リリースユニット
７１０  係止ベース
７１１  係止部材
７１２  支持面
７２０  昇降部材
７２１  ピボット部
７２１１  回転軸
７２２  弾性アーム
７２３  第１の位置制限部
７２４  第２の位置制限部
７２５  滑り中断部
７３０  フリップアーム
７３１  当接突起
７３２  当接面
７３３  当接円弧
７４０  突出蓋
７４１  突起
８００  ネジ部材
【図１】
2015150426.tif 000003
【図２】
2015150426.tif 000004
【図３】
2015150426.tif 000005
【図４】
2015150426.tif 000006
【図５】
2015150426.tif 000007
【図６】
2015150426.tif 000008
【図７】
2015150426.tif 000009
【図８】
2015150426.tif 000010
【図９】
2015150426.tif 000011
【図１０】
2015150426.tif 000012
【図１１】
2015150426.tif 000013
【図１２】
2015150426.tif 000014